(57)【要約】【課題】  リモコン装置の操作性を低下させることなく、しかも当初の浴室設計上のインテリア性、意匠性、浴室雰囲気を損なわせることがないよう形成した浴室用リモコン装置の設置構造を提供する。【解決手段】  浴室内に設置する浴室用リモコン装置の設置構造であって、浴室の壁面３の調度品２に、リモコン装置１を直列に収納するための収納部５を形成する。この収納部５にリモコン装置１を、操作面を浴室内に向けて設置する。このリモコン装置１を設置した収納部５の浴室内に開口する窓状の開口部１０を、カバー１２で覆う。このカバー１２を、リモコン装置１の配列方向に沿ってスライド自在に形成する。【選択図】      図１
2005152280.tif 000002
【特許請求の範囲】
【請求項１】
浴室内に設置される浴室用リモコン装置の設置構造であって、浴室の壁面の調度品に、リモコン装置を直列に収納するための収納部が形成され、この収納部にリモコン装置が操作面を浴室内に向けて設置され、このリモコン装置が設置された収納部の浴室内に開口する窓状の開口部がカバーで覆われ、このカバーがリモコン装置の配列方向に沿ってスライド自在に形成されていることを特徴とする浴室用リモコン装置の設置構造。
【請求項２】
請求項１記載の浴室用リモコン装置の設置構造であって、調度品がミラーであり、このミラーの取付用の下枠に、収納部が横方向に延びて形成されていることを特徴とする浴室用リモコン装置の設置構造。
【請求項３】
請求項２記載の浴室用リモコン装置の設置構造であって、ミラーの取付用の下枠と同じ材質でカバーが形成され、このカバーのリモコン装置の表示部に対応する位置が透視可能に形成されていることを特徴とする浴室用リモコン装置の設置構造。
【発明の詳細な説明】
【技術分野】
【０００１】
本発明は浴室用リモコン装置の設置構造に関し、更に詳しくは浴室で使用するリモコン装置が浴室内に露出することによる弊害を防止できるよう形成した浴室用リモコン装置の設置構造に関するものである。
【背景技術】
【０００２】
従来、例えば浴室の給湯器や照明器具、或いはジェットバス等のリモコン装置は、浴室の壁面の適宜位置に、夫々別個に設置されるのが通例であった。しかしこの種のリモコン装置が浴室の壁面にバラバラに設置されると、電気配線工事等が余計にかかり、またリモコン装置のデザインを工夫しても浴室内が雑然化するのを避けられない。
そこで従来、この種の問題を解消するため、例えばリモコン本体の操作面に対応させて化粧カバーに操作面露出用の開口を所定間隔をあけて形成し、この化粧カバーを横並びさせたリモコン本体に被せ、これにより、リモコン設定の容易化を確保しながら、リモコン本体を浴室の壁面にスッキリと設置できるよう構成した発明が提案されている（特許文献１参照）。
【特許文献１】特開２００１−３２７４２７号公報
【発明の開示】
【発明が解決しようとする課題】
【０００３】
しかしながらこの従来構造の場合は、化粧カバーの開口を介して操作面が露出し、また化粧カバーで覆われてはいるものの、リモコン装置が浴室の壁面に独立した状態で設置されるものであった。従ってこの従来構造によると、入浴者にその存在感を印象付け、リモコン装置が浴室設計上の当初のインテリア性、意匠性、浴室のトータルな雰囲気を損なわせる、という問題点があった。
【０００４】
本発明は、このような従来技術の問題点に鑑み、提案されたものである。
従って本発明の解決しようとする技術的課題は、リモコン装置の操作性を低下させることなく、しかも当初の浴室設計上のインテリア性、意匠性、浴室雰囲気を損なわせることがないよう形成した浴室用リモコン装置の設置構造を提供することにある。
【課題を解決するための手段】
【０００５】
本発明は、上記の課題を解決するため、次のような技術的手段を採る。
即ち本発明は、図１等に示されるように、浴室内に設置される浴室用リモコン装置の設置構造であって、浴室の壁面３の調度品２に、リモコン装置１を直列に収納するための収納部５が形成され、この収納部５にリモコン装置１が操作面を浴室内に向けて設置され、このリモコン装置１が設置された収納部５の浴室内に開口する窓状の開口部１０がカバー１２で覆われ、このカバー１２がリモコン装置１の配列方向に沿ってスライド自在に形成されていることを特徴とする（請求項１）。
【０００６】
ここで、調度品２としては、浴室の壁面３に設けられる、例えばミラー、カウンター、収納棚等がある。この場合、本発明は、調度品２がミラーであり、このミラーの取付用の下枠４に、収納部５が横方向に延びて形成されているのが好ましい（請求項２）。
なぜならこれによると、リモコン装置１をミラーの取付用の下枠４を利用し、目立たない状態で体裁良く設けることができるからである。
【０００７】
またこの請求項２記載の本発明の構造は、ミラーの取付用の下枠４と同じ材質でカバー１２が形成され、このカバー１２のリモコン装置１の表示部１ａに対応する位置１２ａが透視可能に形成されているのが好ましい（請求項３）。
なぜならこれによると、カバー１２がミラーの取付用の下枠４と同じ材質であるため、一層、リモコン装置１の配設位置を目立たなくすることができ、しかもリモコン装置１の表示部１ａが示す、例えば温度、時間、各種の操作状態、動作状態等を入浴者はカバー１２を開けることなく容易に視認できるからである。ここで、透視可能とは、リモコン装置１の表示部１ａを、浴室内から透かして見ることができる、ということを意味し、具体的にはカバー１２の一部が透明や半透明に形成されることで実現される。
【発明の効果】
【０００８】
本発明は、上記のようにリモコン装置を調度品と関連付け、リモコン設定をするときはカバーをスライドさせて収納部の開口部を開き、不使用時はカバーを逆方向にスライドさせて開口部を閉じ、リモコン装置を隠蔽可能に構成しているものである。
従って本発明の場合は、リモコン装置の操作性を低下させることなく、しかもリモコン装置が調度品と一体化し、不使用時はカバーで隠されるから、これによると浴室のインテリアに違和感を与えず、当初の浴室設計上のインテリア性、意匠性、浴室雰囲気を損なわせることがない。
【発明を実施するための最良の形態】
【０００９】
以下、本発明を実施するための最良の形態を説明する。
図１等において、１は、例えば給湯器やジェットバス等の、浴室内に設置される複数のリモコン装置である。２は、浴室の壁面３に取り付けられている調度品としてのミラーである。この調度品２としてのミラーの取付用の下枠４に、上記の各リモコン装置１を直列に収納するための収納部５が横方向に延びて形成されている。リモコン装置１は、この収納部５に操作面を室内に向けて横並び状に設置されている。リモコン装置１を設置するための収納部５は、図２、図３に示されるように、下枠４の浴槽６側に寄った位置に形成され、浴槽６側、洗い場７側の何れの側からでも容易に手が届く箇所に形成されている。
【００１０】
８は、収納部５を形成するためのアンダーカバーである。このアンダーカバー８は、前面を開口させてケース状に形成され、この実施形態ではリモコン装置１の収納スペースを確保するため、壁面３を形成する壁パネル９を越えて外側に突き出されている。上記の下枠４は、例えば浴槽６寄りの位置が窓状に開口され、収納部５の浴室内に開口する窓状の開口部１０に形成されている。この開口部１０の後側にアンダーカバー８が配置され、リモコン装置１はこのアンダーカバー８にネジ１１で取り付けられている。
【００１１】
１２は、上記の開口部１０を覆うカバーである。このカバー１２は、ミラーの取付用の下枠４と同じ、例えばアルミ合金材で形成されている。そしてこのカバー１２は、リモコン装置１の配列方向に沿ってスライド自在に形成されている。１３は、カバー１２を案内するためのレール部である。このレール部１３は、この実施形態では下枠４の前面の上下位置に平行一対状に形成されている。カバー１２の裏側には、このレール部１３に係合する突出片状の係合部１４が形成され、この係合部１４がレール部１３に係合することで、カバー１２は下枠４に取り付けられた状態でスライドする。またカバー１２のリモコン装置１の表示部１ａ（図１Ａ参照）に対応する位置１２ａは、この実施形態では横方向に延びて半透明に形成され、透視可能に形成されている。
【００１２】
次にリモコン装置１を使用する場合の一例を説明する。
本発明の場合、リモコン装置１はカバー１２により常時は隠蔽されている。リモコン設定は、カバー１２をスライドさせ、収納部５の開口部１０を開いて行なう。リモコン設定したら、カバー１２を逆方向にスライドさせ、収納部５を閉塞する。リモコン装置１は、これにより下枠４内に隠される。なおこの実施形態では、リモコン装置１の表示部１ａに対応する位置１２ａが半透明に形成されている。従ってこれによると、カバー１２でリモコン装置１が隠されていても、入浴者はリモコン装置１の表示部１ａが表示する温度や時間等を、カバー１２を開けることなく視認できる。またこの本発明では、カバー１２が下枠４の一部としてデザインされている。従ってこれによると、収納部５を開けっ放しにしても、リモコン装置１の存在が気になりにくい。
【００１３】
以上の処において、上例は、カバー１２が下枠４の前面にほぼ接した状態でスライドする構造であるが、本発明はこれに限定されるものではない。即ち本発明は、例えば図４に示されるように、収納部５が下枠４の前面から室内側に突き出されて形成され、カバー１２が下枠４の前面から離された状態でスライドするよう形成されているのでも良い。この場合は、壁パネル９にアンダーカバー８用の開口を形成する必要がない、という利点がある。
【００１４】
また上例では、リモコン装置１が横方向に直列に設置されているが、本発明はこれに限られず、例えば調度品２としてのミラーの取付用の縦枠等に、リモコン装置１が縦方向に直列に設置されるのでも良い。また本発明の場合、カバー１２は、例えば左右一対状の２枚で形成され、両引き戸状に形成されるのでも良い。この場合は、カバー１２を大きくスライドさせることなく、温度等を設定したいリモコン装置１がある側のカバー１２を開閉操作することで済む。なお本発明の場合、リモコン装置１は収納部５に１個だけ設置されるのでも良い。またカバー１２は、その前面の適宜位置に、スライド操作が容易になるよう、取っ手等の手掛かりが形成されているのが好ましい。
【００１５】
また上例ではリモコン装置１が調度品２としてのミラーの取付用の下枠４に内蔵されているが、本発明はこれに限定されるものではない。即ち本発明は、図５〜図７に示されるように、リモコン装置１が調度品２としての例えばカウンターに設けられているのでも良い。この場合は、浴室内に突き出されたカウンターの内側を利用してリモコン装置１を設置できるから、図４の実施形態の場合とは異なり、調度品２の外観を大きく変更することなく、しかも壁パネル９に開口を形成することなく、リモコン装置１を体裁良く設置できる。
【００１６】
調度品２としてのカウンターは、この実施形態では浴槽６の短手方向の壁面３に、横方向の全長にわたって設けられている。リモコン装置１を設置するための収納部５（図７参照）は、浴槽６（図５参照）の側に寄ったカウンターの位置に形成され、カウンターの前面に開口する収納部５の開口部１０（図７参照）がカバー１２で覆われている。収納部５は、この実施形態では図７に示されるように、カウンターの内部に形成された仕切壁１５で形作られている。リモコン装置１は、この仕切壁１５にその背面があてがわれ、ネジ止め等によってカウンター内に設けられる。１６は、調度品２としてのカウンターを、壁パネル９に固定するためのＬ字形金具である。
【００１７】
またこの本発明の場合は、カバー１２をスライドさせるためのレール部１３を、なるべく目立たないようにするため、調度品２としてのカウンターの上面２ａ（図７参照）に溝状に形成されている。この実施形態の場合は、上面２ａのレール部１３に対応する、カウンターの下面の位置にも、レール部１３が溝状に形成されている。そしてカバー１２のＬ字状の上片部１２ｂと下片部（図示せず）の先端に、レール部１３に係合する係合片１２ｃが屈曲状に形成されている。この実施形態のカバー１２は、この係合片１２ｃがレール部１３に係合することにより、カウンターに、左右方向にスライド自在に取り付けられている。
【図面の簡単な説明】
【００１８】
【図１】本発明の設置構造の好適な一実施形態を示し、Ａは要部正面図、ＢはＡのＢ−Ｂ線における要部拡大断面図である。
【図２】同上の設置構造が実現された浴室の要部斜視図である。
【図３】同上の設置構造が実現された浴室の要部斜視図である。
【図４】同上の設置構造の他の実施形態を示す要部断面図である。
【図５】同上の設置構造をカウンターに実現した場合の浴室の要部斜視図である。
【図６】図５の実施形態の要部正面図である。
【図７】図６のＶＩＩ−ＶＩＩ線における要部拡大断面図である。
【符号の説明】
【００１９】
１    リモコン装置
２    調度品
３    壁面
５    収納部
１０  開口部
１２  カバー
【図１】
2005152280.tif 000003
【図２】
2005152280.tif 000004
【図３】
2005152280.tif 000005
【図４】
2005152280.tif 000006
【図５】
2005152280.tif 000007
【図６】
2005152280.tif 000008
【図７】
2005152280.tif 000009